(57)【要約】【課題】メッセージを予定された日時に確実に提供する。【解決手段】指定した送信先、メッセージ等の送信情報、及び、提供日時等の閲覧可能条件を指定情報とし、送受信装置から管理サーバに配信する。指定情報を受信した管理サーバは、閲覧可能条件が充足される前に指定情報を送信先の利用者の送受信装置に送信する。指定情報を受信した相手利用者の送受信装置は、指定情報に含まれるメッセージ等を直ちに閲覧可能とするのではなく、閲覧可能条件が充足された場合に閲覧可能とする。【選択図】図１
2014041562.tif 000002
【特許請求の範囲】
【請求項１】
複数の送受信装置間で情報を送受信する情報送受信システムに用いられる当該送受信装置であって、
情報の送信先と、送信する情報と、当該情報を当該送信先の受信者に閲覧可能にするための閲覧可能条件とを指定する指定部と、
前記指定部で指定した前記送信先に対応する他の前記送受信装置に、前記指定部で指定した前記情報と前記閲覧可能条件とを関連付けて送信対象とし、前記閲覧可能条件が充足される前に、前記他の前記送受信装置における当該送信対象の受信が確認されるまで当該送信対象の送信を繰り返す送信部と、
前記送信対象を受信する受信部と、
前記受信部で受信した前記送信対象に含まれる前記閲覧可能条件が充足されたか否かを判断する判断部と、
前記判断部で前記閲覧可能条件が充足されたと判断された場合に、当該閲覧可能条件に関連付けられた前記情報が受信者に閲覧可能となるように制御する制御部とを備える、
ことを特徴とする送受信装置。
【請求項２】
複数の送受信装置間で情報を送受信する情報送受信システムに用いられる当該送受信装置であって、
情報の送信先と、送信する情報と、当該情報を当該送信先の受信者に閲覧可能にするための閲覧可能条件とを指定する指定部と、
前記指定部で指定した前記送信先に対応する他の前記送受信装置に、前記指定部で指定した前記情報と前記閲覧可能条件とを関連付けて送信対象とし、前記閲覧可能条件が充足される前に、当該送信対象を送信する送信部と、
前記送信対象を受信する受信部と、
前記受信部で受信した前記送信対象に含まれる前記閲覧可能条件が充足されたか否かを判断する判断部と、
前記判断部で前記閲覧可能条件が充足されたと判断された場合に、当該閲覧可能条件に関連付けられた前記情報が受信者に閲覧可能となるように制御する制御部と、
前記送信対象の有無を前記他の前記送受信装置に問い合わせる問合せ部と、を備える、
ことを特徴とする送受信装置。
【請求項３】
複数の送受信装置と、当該送受信装置と通信可能で、当該複数の送受信装置間で情報を受け渡す管理装置とを備える情報送受信システムであって、
前記管理装置は、
一の前記送受信装置によって指定された前記情報の送信先と、送信する情報と、当該情報を当該送信先の受信者に閲覧可能にするための閲覧可能条件とを受信する受信部と、
前記送信先に対応する他の前記送受信装置に、前記指定された前記情報と前記閲覧可能条件とを関連付けて送信対象とし、前記閲覧可能条件が充足される前に、前記他の前記送受信装置における当該送信対象の受信が確認されるまで当該送信対象の送信を繰り返す送信部とを備え、
前記送受信装置は、
前記情報の送信先と、送信する情報と、当該情報を当該送信先の受信者に閲覧可能にするための閲覧可能条件とを指定する指定部と、
前記指定部で指定した前記送信先と、前記情報と、前記閲覧可能条件とを前記管理装置に送信する送信部と、
前記送信対象を受信する受信部と、
前記受信部で受信した前記送信対象に含まれる前記閲覧可能条件が充足されたか否かを判断する判断部と、
前記判断部で前記到達報知条件が充足されたと判断された場合に、前記情報が受信者に閲覧可能となるように制御する制御部とを備える、
ことを特徴とする情報送受信システム。
【請求項４】
複数の送受信装置と、当該送受信装置と通信可能で、当該複数の送受信装置間で情報を受け渡す管理装置とを備える情報送受信システムであって、
前記管理装置は、
一の前記送受信装置によって指定された前記情報の送信先と、送信する情報と、当該情報を当該送信先の受信者に閲覧可能にするための閲覧可能条件とを受信する受信部と、
前記送信先に対応する他の前記送受信装置に、前記指定された前記情報と前記閲覧可能条件とを関連付けて送信対象とし、前記閲覧可能条件が充足される前に、当該送信対象を送信する送信部とを備え、
前記送受信装置は、
前記情報の送信先と、送信する情報と、当該情報を当該送信先の受信者に閲覧可能にするための閲覧可能条件とを指定する指定部と、
前記指定部で指定した前記送信先と、前記情報と、前記閲覧可能条件とを前記管理装置に送信する送信部と、
前記送信対象を受信する受信部と、
前記受信部で受信した前記送信対象に含まれる前記閲覧可能条件が充足されたか否かを判断する判断部と、
前記判断部で前記到達報知条件が充足されたと判断された場合に、前記情報が受信者に閲覧可能となるように制御する制御部と、
前記送信対象の有無を、前記管理装置に問い合わせる問合せ部とを備える、
ことを特徴とする情報送受信システム。
【請求項５】
前記閲覧可能条件は、前記情報の閲覧が可能な時期および閲覧する場所の少なくともいずれか一方であることを特徴とする請求項３または請求項４に記載の情報送受信システム。
【請求項６】
前記管理装置は、
前記受信部で受信した前記一の前記送受信装置からの前記送信対象を一意に識別する識別情報を付与する識別情報付与部と、
当該識別情報を前記一の前記送受信装置に通知する通知部と、
前記一の前記送受信装置からのキャンセル要求を前記識別情報と共に前記他の前記送受信装置に送信するキャンセル要求送信部とを備え、
前記送信部は、前記送信対象と共に前記識別情報を送信し、
前記送受信装置は、
前記識別情報によって識別される前記送信対象に対応する受信対象であって、前記他の前記送受信装置において既に受信された受信対象のキャンセルを要求するキャンセル要求部とを備え、
前記制御部は、前記判断部で前記閲覧可能条件が充足されたと判断される前に、前記キャンセル要求と前記識別情報を前記管理装置から受信した場合には、前記情報の受信者に対する閲覧の制御をキャンセルする
ことを特徴とする請求項３乃至請求項５のいずれか一に記載の情報送受信システム。
【請求項７】
前記指定部で指定される情報は、実体情報を一意に識別する実体識別情報を含み、
前記送受信装置は、前記実体識別情報と前記実体情報とを関連付けてを記憶する記憶部と、前記閲覧可能とされた前記情報に含まれる前記実体識別情報によって識別される前記実体情報を出力する出力部を備えることを特徴とする請求項３乃至請求項６のいずれか一に記載の情報送受信システム。
【請求項８】
複数の送受信装置間で情報を送受信する情報送受信システムに用いられる当該送受信装置の制御方法であって、
情報の送信先と、送信する情報と、当該情報を当該送信先の受信者に閲覧可能にするための閲覧可能条件とを指定し、
前記指定した前記送信先に対応する他の前記送受信装置に、前記指定した前記情報と前記閲覧可能条件とを関連付けて送信対象とし、前記閲覧可能条件が充足される前に、前記他の前記送受信装置における当該送信対象の受信が確認されるまで当該送信対象の送信を繰り返し、
前記送信対象を受信し、
前記受信した前記送信対象に含まれる前記閲覧可能条件が充足されたか否かを判断し、
前記閲覧可能条件が充足されたと判断された場合に、当該閲覧可能条件に関連付けられた前記情報が受信者に閲覧可能となるように制御する、
ことを特徴とする送受信装置の制御方法。
【請求項９】
複数の送受信装置間で情報を送受信する情報送受信システムに用いられる当該送受信装置の制御方法であって、
情報の送信先と、送信する情報と、当該情報を当該送信先の受信者に閲覧可能にするための閲覧可能条件とを指定し、
前記指定した前記送信先に対応する他の前記送受信装置に、前記指定した前記情報と前記閲覧可能条件とを関連付けて送信対象とし、前記閲覧可能条件が充足される前に、当該送信対象を送信し、
前記送信対象の有無を前記他の前記送受信装置に問い合わせ、
前記送信対象を受信し、
前記受信した前記送信対象に含まれる前記閲覧可能条件が充足されたか否かを判断し、
前記閲覧可能条件が充足されたと判断された場合に、当該閲覧可能条件に関連付けられた前記情報が受信者に閲覧可能となるように制御する、
ことを特徴とする送受信装置の制御方法。
【請求項１０】
複数の送受信装置と、当該送受信装置と通信可能で、当該複数の送受信装置間で情報を受け渡す管理装置とを備える情報送受信システムにおける前記管理装置であって、
一の前記送受信装置によって指定された前記情報の送信先と、送信する情報と、当該情報を当該送信先の受信者に閲覧可能にするための閲覧可能条件とを受信する受信部と、
前記送信先に対応する他の前記送受信装置に、前記指定された前記情報と前記閲覧可能条件とを関連付けて送信対象とし、前記閲覧可能条件が充足される前に、前記他の前記送受信装置における当該送信対象の受信が確認されるまで当該送信対象の送信を繰り返す送信部とを備える、
ことを特徴とする管理装置。
【請求項１１】
複数の送受信装置と、当該送受信装置と通信可能で、当該複数の送受信装置間で情報を受け渡す管理装置とを備える情報送受信システムにおける前記管理装置であって、
一の前記送受信装置によって指定された前記情報の送信先と、送信する情報と、当該情報を当該送信先の受信者に閲覧可能にするための閲覧可能条件とを受信する受信部と、
前記送信先に対応する他の前記送受信装置に、前記指定された前記情報と前記閲覧可能条件とを関連付けて送信対象とし、前記閲覧可能条件が充足される前に、当該送信対象を送信する送信部とを備える、
ことを特徴とする管理装置。
【請求項１２】
複数の送受信装置と、当該送受信装置と通信可能で、当該複数の送受信装置間で情報を受け渡す管理装置とを備える情報送受信システムにおける前記送受信装置であって、
前記情報の送信先と、送信する情報と、当該情報を当該送信先の受信者に閲覧可能にするための閲覧可能条件とを指定する指定部と、
前記指定部で指定した前記送信先と、前記情報と、前記閲覧可能条件とを前記管理装置に送信する送信部と、
前記送信対象を受信する受信部と、
前記受信部で受信した前記送信対象に含まれる前記閲覧可能条件が充足されたか否かを判断する判断部と、
前記判断部で前記到達報知条件が充足されたと判断された場合に、前記情報が受信者に閲覧可能となるように制御する制御部とを備える、
ことを特徴とする送受信装置。
【請求項１３】
複数の送受信装置と、当該送受信装置と通信可能で、当該複数の送受信装置間で情報を受け渡す管理装置とを備える情報送受信システムにおける前記送受信装置であって、
前記情報の送信先と、送信する情報と、当該情報を当該送信先の受信者に閲覧可能にするための閲覧可能条件とを指定する指定部と、
前記指定部で指定した前記送信先と、前記情報と、前記閲覧可能条件とを前記管理装置に送信する送信部と、
前記送信対象を受信する受信部と、
前記受信部で受信した前記送信対象に含まれる前記閲覧可能条件が充足されたか否かを判断する判断部と、
前記判断部で前記到達報知条件が充足されたと判断された場合に、前記情報が受信者に閲覧可能となるように制御する制御部と、
前記送信対象の有無を、前記管理装置に問い合わせる問合せ部とを備える、
ことを特徴とする送受信装置。
【請求項１４】
複数の送受信装置と、当該送受信装置と通信可能で、当該複数の送受信装置間で情報を受け渡す管理装置とを備える情報送受信システムにおける前記管理装置の制御方法であって、
一の前記送受信装置によって指定された前記情報の送信先と、送信する情報と、当該情報を当該送信先の受信者に閲覧可能にするための閲覧可能条件とを受信し、
前記送信先に対応する他の前記送受信装置に、前記指定された前記情報と前記閲覧可能条件とを関連付けて送信対象とし、
前記閲覧可能条件が充足される前に、前記他の前記送受信装置における当該送信対象の受信が確認されるまで当該送信対象の送信を繰り返す、
ことを特徴とする管理装置の制御方法。
【請求項１５】
複数の送受信装置と、当該送受信装置と通信可能で、当該複数の送受信装置間で情報を受け渡す管理装置とを備える情報送受信システムにおける前記管理装置の制御方法であって、
一の前記送受信装置によって指定された前記情報の送信先と、送信する情報と、当該情報を当該送信先の受信者に閲覧可能にするための閲覧可能条件とを受信し、
前記送信先に対応する他の前記送受信装置に、前記指定された前記情報と前記閲覧可能条件とを関連付けて送信対象とし、
前記閲覧可能条件が充足される前に、当該送信対象を送信する、
ことを特徴とする管理装置の制御方法。
【請求項１６】
複数の送受信装置と、当該送受信装置と通信可能で、当該複数の送受信装置間で情報を受け渡す管理装置とを備える情報送受信システムにおける前記送受信装置の制御方法であって、
前記情報の送信先と、送信する情報と、当該情報を当該送信先の受信者に閲覧可能にするための閲覧可能条件とを指定し、
前記指定した前記送信先と、前記情報と、前記閲覧可能条件とを前記管理装置に送信し、
前記送信対象を受信し、
前記受信した前記送信対象に含まれる前記閲覧可能条件が充足されたか否かを判断し、
前記到達報知条件が充足されたと判断された場合に、前記情報が受信者に閲覧可能となるように制御する、
ことを特徴とする送受信装置の制御方法。
【請求項１７】
複数の送受信装置と、当該送受信装置と通信可能で、当該複数の送受信装置間で情報を受け渡す管理装置とを備える情報送受信システムにおける前記送受信装置の制御方法であって、
前記情報の送信先と、送信する情報と、当該情報を当該送信先の受信者に閲覧可能にするための閲覧可能条件とを指定し、
前記指定した前記送信先と、前記情報と、前記閲覧可能条件とを前記管理装置に送信し、
前記送信対象を受信し、
前記受信した前記送信対象に含まれる前記閲覧可能条件が充足されたか否かを判断し、
前記到達報知条件が充足されたと判断された場合に、前記情報が受信者に閲覧可能となるように制御し、
前記送信対象の有無を、前記管理装置に問い合わせる、
ことを特徴とする送受信装置の制御方法。
【請求項１８】
複数の送受信装置間で情報を送受信する情報送受信システムに用いられるコンピュータを備える当該送受信装置のプログラムであって、
前記コンピュータを、
情報の送信先と、送信する情報と、当該情報を当該送信先の受信者に閲覧可能にするための閲覧可能条件とを指定する指定部と、
前記指定部で指定した前記送信先に対応する他の前記送受信装置に、前記指定部で指定した前記情報と前記閲覧可能条件とを関連付けて送信対象とし、前記閲覧可能条件が充足される前に、前記他の前記送受信装置における当該送信対象の受信が確認されるまで当該送信対象の送信を繰り返す送信部と、
前記送信対象を受信する受信部と、
前記受信部で受信した前記送信対象に含まれる前記閲覧可能条件が充足されたか否かを判断する判断部と、
前記判断部で前記閲覧可能条件が充足されたと判断された場合に、当該閲覧可能条件に関連付けられた前記情報が受信者に閲覧可能となるように制御する制御部として機能させる、
ことを特徴とする送受信装置のプログラム。
【請求項１９】
複数の送受信装置間で情報を送受信する情報送受信システムに用いられるコンピュータを備える当該送受信装置のプログラムであって、
前記コンピュータを
情報の送信先と、送信する情報と、当該情報を当該送信先の受信者に閲覧可能にするための閲覧可能条件とを指定する指定部と、
前記指定部で指定した前記送信先に対応する他の前記送受信装置に、前記指定部で指定した前記情報と前記閲覧可能条件とを関連付けて送信対象とし、前記閲覧可能条件が充足される前に、当該送信対象を送信する送信部と、
前記送信対象を受信する受信部と、
前記受信部で受信した前記送信対象に含まれる前記閲覧可能条件が充足されたか否かを判断する判断部と、
前記判断部で前記閲覧可能条件が充足されたと判断された場合に、当該閲覧可能条件に関連付けられた前記情報が受信者に閲覧可能となるように制御する制御部と、
前記送信対象の有無を前記他の前記送受信装置に問い合わせる問合せ部として機能させる、
ことを特徴とする送受信装置のプログラム。
【請求項２０】
複数の送受信装置と、当該送受信装置と通信可能で、当該複数の送受信装置間で情報を受け渡す管理装置とを備える情報送受信システムにおけるコンピュータを備える前記管理装置のプログラムであって、
前記コンピュータを、
一の前記送受信装置によって指定された前記情報の送信先と、送信する情報と、当該情報を当該送信先の受信者に閲覧可能にするための閲覧可能条件とを受信する受信部と、
前記送信先に対応する他の前記送受信装置に、前記指定された前記情報と前記閲覧可能条件とを関連付けて送信対象とし、前記閲覧可能条件が充足される前に、前記他の前記送受信装置における当該送信対象の受信が確認されるまで当該送信対象の送信を繰り返す送信部として機能させる、
ことを特徴とする管理装置のプログラム。
【請求項２１】
複数の送受信装置と、当該送受信装置と通信可能で、当該複数の送受信装置間で情報を受け渡す管理装置とを備える情報送受信システムにおけるコンピュータを備える前記管理装置のプログラムであって、
前記コンピュータを、
一の前記送受信装置によって指定された前記情報の送信先と、送信する情報と、当該情報を当該送信先の受信者に閲覧可能にするための閲覧可能条件とを受信する受信部と、
前記送信先に対応する他の前記送受信装置に、前記指定された前記情報と前記閲覧可能条件とを関連付けて送信対象とし、前記閲覧可能条件が充足される前に、当該送信対象を送信する送信部として機能させる、
ことを特徴とする管理装置のプログラム。
【請求項２２】
複数の送受信装置と、当該送受信装置と通信可能で、当該複数の送受信装置間で情報を受け渡す管理装置とを備える情報送受信システムにおけるコンピュータを備える前記送受信装置のプログラムであって、
前記コンピュータを、
前記情報の送信先と、送信する情報と、当該情報を当該送信先の受信者に閲覧可能にするための閲覧可能条件とを指定する指定部と、
前記指定部で指定した前記送信先と、前記情報と、前記閲覧可能条件とを前記管理装置に送信する送信部と、
前記送信対象を受信する受信部と、
前記受信部で受信した前記送信対象に含まれる前記閲覧可能条件が充足されたか否かを判断する判断部と、
前記判断部で前記到達報知条件が充足されたと判断された場合に、前記情報が受信者に閲覧可能となるように制御する制御部として機能させる、
ことを特徴とする送受信装置のプログラム。
【請求項２３】
複数の送受信装置と、当該送受信装置と通信可能で、当該複数の送受信装置間で情報を受け渡す管理装置とを備える情報送受信システムにおけるコンピュータを備え前記送受信装置のプログラムであって、
前記コンピュータを、
前記情報の送信先と、送信する情報と、当該情報を当該送信先の受信者に閲覧可能にするための閲覧可能条件とを指定する指定部と、
前記指定部で指定した前記送信先と、前記情報と、前記閲覧可能条件とを前記管理装置に送信する送信部と、
前記送信対象を受信する受信部と、
前記受信部で受信した前記送信対象に含まれる前記閲覧可能条件が充足されたか否かを判断する判断部と、
前記判断部で前記到達報知条件が充足されたと判断された場合に、前記情報が受信者に閲覧可能となるように制御する制御部と、
前記送信対象の有無を、前記管理装置に問い合わせる問合せ部として機能させる、
ことを特徴とする送受信装置のプログラム。
【発明の詳細な説明】
【技術分野】
【０００１】
本発明は、予めメッセージを送信しておき、指定したタイミングで閲覧を可能とする技術に関する。
【背景技術】
【０００２】
従来から、指定した配信日にグリーティング・カードなどを自動配信するようなサービスが知られている。これは、Ｗｅｂ上で提供されるメッセージ作成アプリケーションに対して、メッセージ作成者が、カードの種類、表示メッセージ、宛先としてのｅメールアドレス、配信日等を指定することで、Ｗｅｂアプリケーションサーバが指定の配信日に自動的に宛先のｅメールアドレスにメールを配信することで実現される（例えば特許文献１参照）。
【先行技術文献】
【特許文献】
【０００３】
【特許文献１】特開２０００−１０５７３２号公報
【発明の概要】
【発明が解決しようとする課題】
【０００４】
しかしながら、スマートフォト等の移動端末においては、端末の所有者の所在地の変化に応じて通信状況が常に変化するため、予定された配信日に必ずしも配信が可能とは限らない。特に、時間単位で配信タイミングを指定したい場合などには、問題はより顕著なものとなる。
本発明は、上述した事情に鑑みてなされたものであり、メッセージを予定された日時に確実に提供する技術を提供することにある。
【課題を解決するための手段】
【０００５】
上記課題を解決するために本発明が採用する手段を説明する。なお、本発明の理解を容易にするために、以下では図面の参照符号を便宜的に括弧書で付記するが、本発明を図示の形態に限定する趣旨ではない。
【０００６】
上述の課題を解決するために、本発明に係る送受信装置（２０）は、複数の送受信装置（２０）間で情報を送受信する情報送受信システム（１）に用いられる当該送受信装置（２０）であって、情報の送信先と、送信する情報と、当該情報を当該送信先の受信者に閲覧可能にするための閲覧可能条件とを指定する指定部（２１）と、前記指定部（２１）で指定した前記送信先に対応する他の前記送受信装置（２０）に、前記指定部（２１）で指定した前記情報と前記閲覧可能条件とを関連付けて送信対象とし、前記閲覧可能条件が充足される前に、前記他の前記送受信装置（２０）における当該送信対象の受信が確認されるまで当該送信対象の送信を繰り返す送信部（２３）と、前記送信対象を受信する受信部（２３）と、前記受信部（２３）で受信した前記送信対象に含まれる前記閲覧可能条件が充足されたか否かを判断する判断部（２４）と、前記判断部（２４）で前記閲覧可能条件が充足されたと判断された場合に、当該閲覧可能条件に関連付けられた前記情報が受信者に閲覧可能となるように制御する制御部（２５）とを備えることを特徴とする。
この発明において、送受信装置はスマートフォン等の携帯型機器、パーソナルコンピュータ等を含む概念である。情報は、テキスト、画像、音等を含む概念である。情報が閲覧可能とは、少なくとも要求があった場合に情報を閲覧できることを意味し、情報を直接受信者に通知する場合を含む概念である。
【０００７】
上述の課題を解決するために、本発明に係る送受信装置（２０）は、複数の送受信装置（２０）間で情報を送受信する情報送受信システム（１）に用いられる当該送受信装置（２０）であって、情報の送信先と、送信する情報と、当該情報を当該送信先の受信者に閲覧可能にするための閲覧可能条件とを指定する指定部（２１）と、前記指定部（２１）で指定した前記送信先に対応する他の前記送受信装置（２０）に、前記指定部（２１）で指定した前記情報と前記閲覧可能条件とを関連付けて送信対象とし、前記閲覧可能条件が充足される前に、当該送信対象を送信する送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記閲覧可能条件が充足されたと判断された場合に、当該閲覧可能条件に関連付けられた前記情報が受信者に閲覧可能となるように制御する制御部（２５）と、前記送信対象の有無を前記他の前記送受信装置（２０）に問い合わせる問合せ部（２６）とを備えることを特徴とする。
この発明において、送受信装置はスマートフォン等の携帯型機器、パーソナルコンピュータ等を含む概念である。情報は、テキスト、画像、音等を含む概念である。情報が閲覧可能とは、少なくとも要求があった場合に情報を閲覧できることを意味し、情報を直接受信者に通知する場合を含む概念である。
【０００８】
上述の課題を解決するために、本発明に係る情報送受信システム（１）は、複数の送受信装置（２０）と、当該送受信装置（２０）と通信可能で、当該複数の送受信装置（２０）間で情報を受け渡す管理装置（１０）とを備える情報送受信システム（１）であって、前記管理装置（１０）は、一の前記送受信装置（２０）によって指定された前記情報の送信先と、送信する情報と、当該情報を当該送信先の受信者に閲覧可能にするための閲覧可能条件とを受信する受信部（２３）と、前記送信先に対応する他の前記送受信装置（２０）に、前記指定された前記情報と前記閲覧可能条件とを関連付けて送信対象とし、前記閲覧可能条件が充足される前に、前記他の前記送受信装置（２０）における当該送信対象の受信が確認されるまで当該送信対象の送信を繰り返す送信部（２２）とを備え、前記送受信装置（２０）は、前記情報の送信先と、送信する情報と、当該情報を当該送信先の受信者に閲覧可能にするための閲覧可能条件とを指定する指定部（２１）と、前記指定部（２１）で指定した前記送信先と、前記情報と、前記閲覧可能条件とを前記管理装置（１０）に送信する送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記到達報知条件が充足されたと判断された場合に、前記情報が受信者に閲覧可能となるように制御する制御部（２５）とを備えることを特徴とする。
【０００９】
上述の課題を解決するために、本発明に係る情報送受信システム（１）は、複数の送受信装置（２０）と、当該送受信装置（２０）と通信可能で、当該複数の送受信装置（２０）間で情報を受け渡す管理装置（１０）とを備える情報送受信システム（１）であって、前記管理装置（１０）は、一の前記送受信装置（２０）によって指定された前記情報の送信先と、送信する情報と、当該情報を当該送信先の受信者に閲覧可能にするための閲覧可能条件とを受信する受信部（２３）と、前記送信先に対応する他の前記送受信装置（２０）に、前記指定された前記情報と前記閲覧可能条件とを関連付けて送信対象とし、前記閲覧可能条件が充足される前に、当該送信対象を送信する送信部（２２）とを備え、前記送受信装置（２０）は、前記情報の送信先と、送信する情報と、当該情報を当該送信先の受信者に閲覧可能にするための閲覧可能条件とを指定する指定部（２１）と、前記指定部（２１）で指定した前記送信先と、前記情報と、前記閲覧可能条件とを前記管理装置（１０）に送信する送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記到達報知条件が充足されたと判断された場合に、前記情報が受信者に閲覧可能となるように制御する制御部（２５）と、前記送信対象の有無を、前記管理装置（１０）に問い合わせる問合せ部（２６）とを備えることを特徴とする。
【００１０】
前記情報送受信システム（１）において、前記閲覧可能条件は、前記情報の閲覧が可能な時期および閲覧する場所の少なくともいずれか一方であるようにしてもよい。このようにすれば、指定した時期に情報の閲覧を可能とするだけでなく、指定した場所に到達した時に情報の閲覧を可能とする。
【００１１】
前記情報送受信システム（１）において、前記管理装置（１０）は、前記受信部（２３）で受信した前記一の前記送受信装置（２０）からの前記送信対象を一意に識別する識別情報を付与する識別情報付与部（１４）と、当該識別情報を前記一の前記送受信装置（２０）に通知する通知部（１６）と、前記一の前記送受信装置（２０）からのキャンセル要求を前記識別情報と共に前記他の前記送受信装置（２０）に送信するキャンセル要求送信部（１７）とを備え、前記送信部（１１）は、前記送信対象と共に前記識別情報を送信し、前記送受信装置（２０）は、前記識別情報によって識別される前記送信対象に対応する受信対象であって、前記他の前記送受信装置（２０）において既に受信された受信対象のキャンセルを要求するキャンセル要求部（２７）とを備え、前記制御部（２５）は、前記判断部（２４）で前記閲覧可能条件が充足されたと判断される前に、前記キャンセル要求と前記識別情報を前記管理装置（１０）から受信した場合には、前記情報の受信者に対する閲覧の制御をキャンセルするようにしてもよい。
【００１２】
前記情報送受信システム（１）において、前記指定部（２１）で指定される情報は、実体情報を一意に識別する実体識別情報を含み、前記送受信装置（２０）は、前記実体識別情報と前記実体情報とを関連付けて記憶する記憶部（２８）と、前記閲覧可能とされた前記情報に含まれる前記実体識別情報によって識別される前記実体情報を出力する出力部（２９）を備えるようにしてもよい。
【００１３】
上述の課題を解決するために、本発明に係る送受信装置（２０）の制御方法は、複数の送受信装置（２０）間で情報を送受信する情報送受信システム（１）に用いられる当該送受信装置（２０）の制御方法であって、情報の送信先と、送信する情報と、当該情報を当該送信先の受信者に閲覧可能にするための閲覧可能条件とを指定し、前記指定した前記送信先に対応する他の前記送受信装置（２０）に、前記指定した前記情報と前記閲覧可能条件とを関連付けて送信対象とし、前記閲覧可能条件が充足される前に、前記他の前記送受信装置（２０）における当該送信対象の受信が確認されるまで当該送信対象の送信を繰り返し、前記送信対象を受信し、前記受信した前記送信対象に含まれる前記閲覧可能条件が充足されたか否かを判断し、前記閲覧可能条件が充足されたと判断された場合に、当該閲覧可能条件に関連付けられた前記情報が受信者に閲覧可能となるように制御することを特徴とする
【００１４】
上述の課題を解決するために、本発明に係る送受信装置（２０）の制御方法は、複数の送受信装置（２０）間で情報を送受信する情報送受信システムに用いられる当該送受信装置（２０）の制御方法であって、情報の送信先と、送信する情報と、当該情報を当該送信先の受信者に閲覧可能にするための閲覧可能条件とを指定し、前記指定した前記送信先に対応する他の前記送受信装置（２０）に、前記指定した前記情報と前記閲覧可能条件とを関連付けて送信対象とし、前記閲覧可能条件が充足される前に、当該送信対象を送信し、前記送信対象の有無を前記他の前記送受信装置（２０）に問い合わせ、前記送信対象を受信し、前記受信した前記送信対象に含まれる前記閲覧可能条件が充足されたか否かを判断し、前記閲覧可能条件が充足されたと判断された場合に、当該閲覧可能条件に関連付けられた前記情報が受信者に閲覧可能となるように制御することを特徴とする。
【００１５】
上述の課題を解決するために、本発明に係る管理装置（１０）は、複数の送受信装置（２０）と、当該送受信装置（２０）と通信可能で、当該複数の送受信装置（２０）間で情報を受け渡す管理装置（１０）とを備える情報送受信システム（１）における前記管理装置（１０）であって、一の前記送受信装置（２０）によって指定された前記情報の送信先と、送信する情報と、当該情報を当該送信先の受信者に閲覧可能にするための閲覧可能条件とを受信する受信部（１２）と、前記送信先に対応する他の前記送受信装置（２０）に、前記指定された前記情報と前記閲覧可能条件とを関連付けて送信対象とし、前記閲覧可能条件が充足される前に、前記他の前記送受信装置（２０）における当該送信対象の受信が確認されるまで当該送信対象の送信を繰り返す送信部（１１）とを備えることを特徴とする。
【００１６】
上述の課題を解決するために、本発明に係る管理装置（１０）は、複数の送受信装置（２０）と、当該送受信装置（２０）と通信可能で、当該複数の送受信装置（２０）間で情報を受け渡す管理装置（１０）とを備える情報送受信システム（１）における前記管理装置（１０）であって、一の前記送受信装置（２０）によって指定された前記情報の送信先と、送信する情報と、当該情報を当該送信先の受信者に閲覧可能にするための閲覧可能条件とを受信する受信部（１２）と、前記送信先に対応する他の前記送受信装置（２０）に、前記指定された前記情報と前記閲覧可能条件とを関連付けて送信対象とし、前記閲覧可能条件が充足される前に、当該送信対象を送信する送信部（１１）とを備えることを特徴とする。
【００１７】
上述の課題を解決するために、本発明に係る送受信装置（２０）は、複数の送受信装置（２０）と、当該送受信装置（２０）と通信可能で、当該複数の送受信装置（２０）間で情報を受け渡す管理装置（１０）とを備える情報送受信システム（１）における前記送受信装置（２０）であって、前記情報の送信先と、送信する情報と、当該情報を当該送信先の受信者に閲覧可能にするための閲覧可能条件とを指定する指定部（２１）と、前記指定部（２１）で指定した前記送信先と、前記情報と、前記閲覧可能条件とを前記管理装置（１０）に送信する送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記到達報知条件が充足されたと判断された場合に、前記情報が受信者に閲覧可能となるように制御する制御部（２５）とを備えることを特徴とする。
【００１８】
上述の課題を解決するために、本発明に係る送受信装置（２０）は、複数の送受信装置（２０）と、当該送受信装置（２０）と通信可能で、当該複数の送受信装置（２０）間で情報を受け渡す管理装置（１０）とを備える情報送受信システム（１）における前記送受信装置（２０）であって、前記情報の送信先と、送信する情報と、当該情報を当該送信先の受信者に閲覧可能にするための閲覧可能条件とを指定する指定部（２１）と、前記指定部（２１）で指定した前記送信先と、前記情報と、前記閲覧可能条件とを前記管理装置（１０）に送信する送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記到達報知条件が充足されたと判断された場合に、前記情報が受信者に閲覧可能となるように制御する制御部（２５）と、前記送信対象の有無を、前記管理装置（１０）に問い合わせる問合せ部（２６）とを備えることを特徴とする。
【００１９】
上述の課題を解決するために、本発明に係る管理装置（１０）の制御方法は、複数の送受信装置（２０）と、当該送受信装置（２０）と通信可能で、当該複数の送受信装置（２０）間で情報を受け渡す管理装置（１０）とを備える情報送受信システム（１）における前記管理装置（１０）の制御方法であって、一の前記送受信装置（２０）によって指定された前記情報の送信先と、送信する情報と、当該情報を当該送信先の受信者に閲覧可能にするための閲覧可能条件とを受信し、前記送信先に対応する他の前記送受信装置（２０）に、前記指定された前記情報と前記閲覧可能条件とを関連付けて送信対象とし、前記閲覧可能条件が充足される前に、前記他の前記送受信装置（２０）における当該送信対象の受信が確認されるまで当該送信対象の送信を繰り返すことを特徴とする。
【００２０】
上述の課題を解決するために、本発明に係る管理装置（１０）の制御方法は、複数の送受信装置（２０）と、当該送受信装置（２０）と通信可能で、当該複数の送受信装置（２０）間で情報を受け渡す管理装置（１０）とを備える情報送受信システム（１）における前記管理装置（１０）の制御方法であって、一の前記送受信装置（２０）によって指定された前記情報の送信先と、送信する情報と、当該情報を当該送信先の受信者に閲覧可能にするための閲覧可能条件とを受信し、前記送信先に対応する他の前記送受信装置（２０）に、前記指定された前記情報と前記閲覧可能条件とを関連付けて送信対象とし、前記閲覧可能条件が充足される前に、当該送信対象を送信することを特徴とする。
【００２１】
上述の課題を解決するために、本発明に係る送受信装置（２０）の制御方法は、複数の送受信装置（２０）と、当該送受信装置（２０）と通信可能で、当該複数の送受信装置（２０）間で情報を受け渡す管理装置（１０）とを備える情報送受信システム（１）における前記送受信装置（２０）の制御方法であって、前記情報の送信先と、送信する情報と、当該情報を当該送信先の受信者に閲覧可能にするための閲覧可能条件とを指定し、前記指定した前記送信先と、前記情報と、前記閲覧可能条件とを前記管理装置（１０）に送信し、前記送信対象を受信し、前記受信した前記送信対象に含まれる前記閲覧可能条件が充足されたか否かを判断し、前記到達報知条件が充足されたと判断された場合に、前記情報が受信者に閲覧可能となるように制御することを特徴とする。
【００２２】
上述の課題を解決するために、本発明に係る送受信装置（２０）の制御方法は、複数の送受信装置（２０）と、当該送受信装置（２０）と通信可能で、当該複数の送受信装置（２０）間で情報を受け渡す管理装置（１０）とを備える情報送受信システム（１）における前記送受信装置（２０）の制御方法であって、前記情報の送信先と、送信する情報と、当該情報を当該送信先の受信者に閲覧可能にするための閲覧可能条件とを指定し、前記指定した前記送信先と、前記情報と、前記閲覧可能条件とを前記管理装置（１０）に送信し、前記送信対象を受信し、前記受信した前記送信対象に含まれる前記閲覧可能条件が充足されたか否かを判断し、前記到達報知条件が充足されたと判断された場合に、前記情報が受信者に閲覧可能となるように制御し、前記送信対象の有無を、前記管理装置（１０）に問い合わせることを特徴とする。
【００２３】
上述の課題を解決するために、本発明に係る送受信装置（２０）のプログラムは、複数の送受信装置（２０）間で情報を送受信する情報送受信システム（１）に用いられるコンピュータ（４０）を備える当該送受信装置（２０）のプログラムであって、前記コンピュータ（４０）を、情報の送信先と、送信する情報と、当該情報を当該送信先の受信者に閲覧可能にするための閲覧可能条件とを指定する指定部（２１）と、前記指定部（２１）で指定した前記送信先に対応する他の前記送受信装置（２０）に、前記指定部（２１）で指定した前記情報と前記閲覧可能条件とを関連付けて送信対象とし、前記閲覧可能条件が充足される前に、前記他の前記送受信装置（２０）における当該送信対象の受信が確認されるまで当該送信対象の送信を繰り返す送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記閲覧可能条件が充足されたと判断された場合に、当該閲覧可能条件に関連付けられた前記情報が受信者に閲覧可能となるように制御する制御部（２５）として機能させることを特徴とする。
【００２４】
上述の課題を解決するために、本発明に係る送受信装置（２０）のプログラムは、複数の送受信装置（２０）間で情報を送受信する情報送受信システム（１）に用いられるコンピュータ（４０）を備える当該送受信装置（２０）のプログラムであって、前記コンピュータ（４０）を、情報の送信先と、送信する情報と、当該情報を当該送信先の受信者に閲覧可能にするための閲覧可能条件とを指定する指定部（２１）と、前記指定部（２１）で指定した前記送信先に対応する他の前記送受信装置（２０）に、前記指定部（２１）で指定した前記情報と前記閲覧可能条件とを関連付けて送信対象とし、前記閲覧可能条件が充足される前に、当該送信対象を送信する送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記閲覧可能条件が充足されたと判断された場合に、当該閲覧可能条件に関連付けられた前記情報が受信者に閲覧可能となるように制御する制御部（２５）と、前記送信対象の有無を前記他の前記送受信装置（２０）に問い合わせる問合せ部（２６）として機能させることを特徴とする。
【００２５】
上述の課題を解決するために、本発明に係る管理装置（１０）のプログラムは、複数の送受信装置（２０）と、当該送受信装置（２０）と通信可能で、当該複数の送受信装置（２０）間で情報を受け渡す管理装置（１０）とを備える情報送受信システム（１）におけるコンピュータ（３０）を備える前記管理装置（１０）のプログラムであって、前記コンピュータ（３０）を、一の前記送受信装置（２０）によって指定された前記情報の送信先と、送信する情報と、当該情報を当該送信先の受信者に閲覧可能にするための閲覧可能条件とを受信する受信部（１２）と、前記送信先に対応する他の前記送受信装置（２０）に、前記指定された前記情報と前記閲覧可能条件とを関連付けて送信対象とし、前記閲覧可能条件が充足される前に、前記他の前記送受信装置（２０）における当該送信対象の受信が確認されるまで当該送信対象の送信を繰り返す送信部（１１）として機能させることを特徴とする。
【００２６】
上述の課題を解決するために、本発明に係る管理装置（１０）のプログラムは、複数の送受信装置（２０）と、当該送受信装置（２０）と通信可能で、当該複数の送受信装置（２０）間で情報を受け渡す管理装置（１０）とを備える情報送受信システム（１）におけるコンピュータ（３０）を備える前記管理装置（１０）のプログラムであって、前記コンピュータ（３０）を、一の前記送受信装置（２０）によって指定された前記情報の送信先と、送信する情報と、当該情報を当該送信先の受信者に閲覧可能にするための閲覧可能条件とを受信する受信部（１２）と、前記送信先に対応する他の前記送受信装置（２０）に、前記指定された前記情報と前記閲覧可能条件とを関連付けて送信対象とし、前記閲覧可能条件が充足される前に、当該送信対象を送信する送信部（１１）として機能させることを特徴とする。
【００２７】
上述の課題を解決するために、本発明に係る送受信装置（２０）のプログラムは、複数の送受信装置（２０）と、当該送受信装置（２０）と通信可能で、当該複数の送受信装置（２０）間で情報を受け渡す管理装置（１０）とを備える情報送受信システム（１）におけるコンピュータ（３０）を備える前記送受信装置（２０）のプログラムであって、前記コンピュータ（３０）を、前記情報の送信先と、送信する情報と、当該情報を当該送信先の受信者に閲覧可能にするための閲覧可能条件とを指定する指定部（２１）と、前記指定部（２１）で指定した前記送信先と、前記情報と、前記閲覧可能条件とを前記管理装置（１０）に送信する送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記到達報知条件が充足されたと判断された場合に、前記情報が受信者に閲覧可能となるように制御する制御部（２５）として機能させることを特徴とする。
【００２８】
上述の課題を解決するために、本発明に係る送受信装置（２０）のプログラムは、複数の送受信装置（２０）と、当該送受信装置（２０）と通信可能で、当該複数の送受信装置（２０）間で情報を受け渡す管理装置（１０）とを備える情報送受信システム（１）におけるコンピュータ（４０）を備え前記送受信装（２０）のプログラムであって、前記コンピュータ（４０）を、前記情報の送信先と、送信する情報と、当該情報を当該送信先の受信者に閲覧可能にするための閲覧可能条件とを指定する指定部（２１）と、前記指定部（２１）で指定した前記送信先と、前記情報と、前記閲覧可能条件とを前記管理装置（１０）に送信する送信部（２２）と、前記送信対象を受信する受信部（２３）と、前記受信部（２３）で受信した前記送信対象に含まれる前記閲覧可能条件が充足されたか否かを判断する判断部（２４）と、前記判断部（２４）で前記到達報知条件が充足されたと判断された場合に、前記情報が受信者に閲覧可能となるように制御する制御部（２５）と、前記送信対象の有無を、前記管理装置（１０）に問い合わせる問合せ部（２６）として機能させることを特徴とする。
また、上記プログラムは記録媒体に記憶させても良い。この記録媒体を用いれば、例えば上記コンピュータに上記プログラムをインストールすることができる。ここで、上記プログラムを記憶した記録媒体は、ＣＤ−ＲＯＭ等の非一過性の記録媒体であっても良い。
【図面の簡単な説明】
【００２９】
【図１】本発明の第１実施形態に係る情報送受信システムのブロック図である。
【図２】管理サーバの構成を示すブロック図である。
【図３】送受信装置の構成を示すブロック図である。
【図４】送受信装置で実行されるメッセージ送受信アプリケーションのトップページの一例を示す説明図である。
【図５】送受信装置におけるメッセージ送受信アプリケーションのチャット画面の一例を示す図である。
【図６】送受信装置におけるメッセージ送受信アプリケーションのメッセージ表示画面の一例を示す図である。
【図７】送受信装置におけるメッセージ送受信アプリケーションの予約メッセージ作成画面の一例を示す図である。
【図８】送受信装置におけるメッセージ送受信アプリケーションの提供日時設定画面の一例を示す図である。
【図９】送受信装置におけるメッセージ送受信アプリケーションの予約提供処理の動作シーケンスを示す図である。
【図１０】送受信装置におけるメッセージ送受信アプリケーションのメッセージ表示画面の一例を示す図である。
【図１１】本発明の第２実施形態に係る情報送受信システムのブロック図である。
【図１２】本発明の第３実施形態に係る情報送受信システムのブロック図である。
【図１３】第３実施形態のキャンセル処理の動作シーケンスを示す図である。
【図１４】第３実施形態の送信リストの一例を示す図である。
【図１５】第３実施形態の受信リストの一例を示す図である。
【図１６】本発明の第４実施形態に係る情報送受信システムのブロック図である。
【図１７】本発明の変形例に係る情報送受信システムのブロック図である。
【発明を実施するための形態】
【００３０】
以下、実施形態として、本発明に係る管理サーバを用いた情報送受信システムについて、図面を参照しつつ説明する。
【００３１】
＜第１実施形態＞
図１は、本発明の第１実施形態に係る送受信装置を含む情報送受信システム１の全体的な構成を示すブロック図である。
図１に示されるように、情報送受信システム１では、複数の送受信装置２０が、移動通信網Ｎｂ、ゲートウェイ１５及びインターネットＮａを介して管理サーバ１０に接続された構成となっている。
【００３２】
本実施形態の管理サーバ１０は、インターネットＮａを介した音声通話、チャット、及び、メール等の、メッセージの送受信が可能なメッセージ送受信サービスを提供する。チャットシステムとしての情報送受信システム１は、ある送受信装置２０を基準としてみたときに、当該送受信装置２０の利用者本人と他の１名以上の利用者とで、リアルタイムでテキストメッセージや音声メッセージを送受信するチャットシステムを想定している。但し、本実施形態のチャットシステムでは、後述するように、メッセージを相手に提供する提供日時を指定してテキストメッセージや音声メッセージを送受信することも可能になっている。詳しくは後述する。
【００３３】
管理サーバ１０においては、所定のプログラムを実行することによって、また、送受信装置２０においては、予めインストールされたメッセージ送受信アプリケーションプログラムを実行することによって、それぞれ次のような機能ブロックが構築される。
【００３４】
管理サーバ１０は、一の送受信装置２０から送信されたメッセージ等の情報と、情報の送信先と、情報を送信先の受信者に閲覧可能にするための閲覧可能条件とを受信する受信部１１と、情報と閲覧可能条件とを関連付けて送信対象とし、他の送受信装置２０に対して、閲覧可能条件が充足される前に、他の送受信装置２０における送信対象の受信が確認されるまで送信対象の送信を繰り返す送信部１２とを備えている。また、管理サーバ１０は、管理サーバ１０を制御するプログラムや、受信した情報等を記憶する記憶部１３を備えている。
【００３５】
送受信装置２０は、メッセージ等の情報と、情報の送信先と、情報を送信先の受信者に閲覧可能にするための閲覧可能条件とを指定する指定部２１と、指定した送信先と、情報と、閲覧可能条件とを管理サーバ１０に送信する送信部２２と、管理サーバ１０から送信対象を受信する受信部２３と、受信した送信対象に含まれる閲覧可能条件が充足されたか否かを判断する判断部２４と、閲覧可能条件が充足されたと判断された場合に、閲覧可能条件に関連付けられた情報が送受信装置２０に到達している旨を報知し、あるいは、情報が受信者に閲覧可能となるように制御する制御部２５とを備える。
【００３６】
図２に管理サーバ１０の構成を示す。図２に示すように、管理サーバ１０は、装置全体を制御するＣＰＵ（Central Processing Unit）３０、ＣＰＵ３０の作業領域として機能するＲＡＭ（Random Access Memory）３１、ブートプログラムなどを記憶したＲＯＭ（Read Only Memory）３２、各種のプログラムやデータを記憶するハードディスク３３、インターネットＮａを介して外部の装置と通信を行う通信インターフェース３６、及びコンパクトディスクなどの情報記録媒体を読み取る読取装置３７を備える。
【００３７】
また、管理サーバ１０は、図２においては１台で構築されているが、２台以上に分散させるとともに外部からみたときに仮想的に１台であるかのようにみえる構成としても良い。一方で、管理サーバ１０の一部の機能を他のサービスを提供しているサーバで構築しても良い。また、管理サーバ１０が中継サーバを介して送受信装置２０と接続するように構成しても良い。
【００３８】
図３に送受信装置２０の構成を示す。送受信装置２０は、例えば利用者が操作するスマートフォン等の携帯機器である。送受信装置２０は、装置全体を制御するＣＰＵ４０、ＣＰＵ４０の作業領域として機能するＲＡＭ４１、ブートプログラムなどを記憶したＲＯＭ４２、各種のプログラムやデータを記憶する記憶装置４３、タッチパネルなどを含む入力部４４、画像を表示するディスプレイ４５、及びインターネットＮａを介して外部の装置と通信を行う通信インターフェース４６を備える。なお、入力部がタッチパネルである場合は、ディスプレイ４５がタッチパネルである入力部４４を兼ねることとなる。入力部４４はテンキーなどでもよい。入力部４４は単一のデバイスで構成しても、複数のデバイスを組み合わせて構成しても良い。
【００３９】
記憶装置４３は基本プログラムや、チャット等を実行するためのメッセージ送受信アプリケーションプログラムなどを不揮発性に記憶する。このメッセージ送受信アプリケーションプログラムは、メッセージを作成して管理サーバ１０に送信したり、管理サーバ１０から受信したメッセージをタイムライン表示したりするものであって、特定のサイトからダウンロードされて、送受信装置２０にインストールされたものである。通信インターフェース４６は、移動通信網Ｎｂや無線ＬＡＮ網など介して管理サーバ１０と通信する。
【００４０】
なお、送受信装置２０は、移動通信網Ｎｂに限られず、無線ＬＡＮ（Local Area Network）に接続される構成であっても良い。無線ＬＡＮに接続される場合、送受信装置２０は、無線基地局（アクセスポイント）およびインターネットＮｂを経由して、上記管理サーバ１０に接続される。
送受信装置２０は、スマートフォンに限られず、タブレット型コンピュータやＰＤＡ（Personal Digital Assistant）、あるいは、携帯電話機などでも良い。
【００４１】
＜メッセージ送受信アプリケーション＞
次に、本実施形態の送受信装置２０にインストールされるメッセージ送受信アプリケーションについて説明する。メッセージ送受信アプリケーションを送受信装置２０上で起動すると、図４に示すようなフレンド表示画面Ｐ１が表示される。本実施形態においては、メッセージ送受信アプリケーションの起動時のデフォルト選択メニューがフレンド表示画面Ｐ１に設定されている。
フレンド表示画面Ｐ１は、タイトル表示領域Ａ１、フレンド表示領域Ａ２、プロフィール画像表示領域Ａ３、ニックネーム表示領域Ａ４、メニューバーＡ５を備えている。
タイトル表示領域Ａ１には、そのページのタイトルが表示される。図４に示すフレンド表示画面Ｐ１は、メッセージ送受信アプリケーションにおいてフレンド登録しているフレンドを一覧表示する画面であり、タイトル表示領域Ａ１には、現在選択中のメニューのタイトルが表示されるようになっており、図４の例では「フレンド」と表示される。
フレンド表示領域Ａ２には、メッセージ送受信アプリケーションにおいてフレンド登録しているフレンドが、プロフィール画像とニックネームにより一覧表示される。図４に示す例では、一部のフレンドが表示されており、画面をスクロールすることにより、残りのフレンドも表示される。
プロフィール画像表示領域Ａ３には、フレンドが登録したプロフィール画像が表示される。ニックネーム表示領域Ａ４には、フレンドが登録したニックネームが表示される。
メニューバーＡ５には、フレンドアイコンＡ６、チャットアイコンＡ７、お知らせアイコンＡ８、設定アイコンＡ９が表示される。それぞれのアイコンが押下されることにより、それぞれのアイコンに対応するページにジャンプするようになっている。フレンドアイコンＡ６が押下されると、図４に示すフレンド表示画面Ｐ１が表示され、チャットアイコンＡ７が押下されると、後述するチャット画面が表示される。お知らせアイコンＡ８が押下されると、メッセージ送受信アプリケーションの提供企業等からのお知らせを表示するページ（図示せず）にジャンプする。設定アイコンＡ９が押下されると、プロフィール画像やニックネーム等の各種設定が可能な設定ページ（図示せず）にジャンプする。
【００４２】
＜チャット処理＞
次に、本実施形態のメッセージ送受信アプリケーションにおけるチャット処理について説明する。図４に示すメニューバーＡ５のチャットアイコンＡ７が押下されると、図５に示すチャット画面Ｐ２が表示される。
チャット画面Ｐ２は、タイトル表示領域Ｂ１、フレンド表示領域Ｂ２、プロフィール画像表示領域Ｂ３、ニックネーム表示領域Ｂ４、前回メッセージ表示領域Ｂ５、前回メッセージ投稿日時表示領域Ｂ６、フレンド表示画面Ｐ１と共通のメニューバーＡ５を備えている。
タイトル表示領域Ｂ１には、そのページのタイトルが表示される。図５に示すチャット画面Ｐ２は、メッセージ送受信アプリケーションにおいてチャットを行う相手のフレンドを一覧表示する画面であり、タイトル表示領域Ｂ１には、「チャット」と表示される。
フレンド表示領域Ｂ２には、ユーザのフレンドであって且つユーザとチャットをしたことがあるフレンドが一覧表示される。一方、図４に示すフレンド表示画面Ｐ１はチャット履歴をユーザ別に一覧表示する画面である。
図５に示す例では、一部のフレンドが表示されており、画面をスクロールすることにより、残りのフレンドも表示される。表示の順序は、最後にチャットを行った日時が新しい順になっている。
プロフィール画像表示領域Ｂ３には、フレンドが登録したプロフィール画像が表示される。ニックネーム表示領域Ｂ４には、フレンドが登録したニックネームが表示される。
前回メッセージ表示領域Ｂ５には、表示されているフレンドが最後に投稿したメッセージが表示される。但し、表示可能な字数が限られているので、表示可能な字数を超える部分の表示は省略される。
前回メッセージ投稿日時表示領域Ｂ６には、表示されているフレンドが最後にメッセージ投稿した日時が表示される。但し、チャット画面Ｐ２を表示している日とメッセージの投稿日が同日の場合には、投稿時間のみが表示される。また、チャット画面Ｐ２を表示している日から１週間以内であれば曜日が表示される。チャット画面Ｐ２を表示している日から１週間よりも前の投稿の場合には、月日が表示される。
メニューバーＡ５は、フレンド表示画面Ｐ１と共通なので説明を省略する。
【００４３】
チャット画面Ｐ２に表示されるフレンドに対してメッセージを送信する場合には、メッセージを送信したいフレンドのプロフィール画像及びニックネーム等の表示枠内の部分を押下する。このプロフィール画像及びニックネーム等の表示枠内の部分が押下されると、図６に示すメッセージ表示画面Ｐ３が表示される。
メッセージ表示画面Ｐ３は、タイトル表示領域Ｃ１、メッセージ表示領域Ｃ２、相手側プロフィール画像Ｃ３、相手側メッセージ表示枠Ｃ４、本人側メッセージ表示枠Ｃ５、コマンドバーＣ６を備えている。
タイトル表示領域Ｃ１には、そのページのタイトルが表示される。図６に示すメッセージ表示画面Ｐ３は、本人と相手側とで投稿されたメッセージを表示する画面であるが、図６の例では、チャット画面Ｐ２と同様に、タイトル表示領域Ｃ１には「チャット」と表示される。
メッセージ表示領域Ｃ２には、相手側プロフィール画像Ｃ３と、相手側メッセージ表示枠Ｃ４と、本人側メッセージ表示枠Ｃ５とが表示される。相手側プロフィール画像Ｃ３はチャットを行っている相手のプロフィール画像であり、相手側メッセージ表示枠Ｃ４には相手が投稿したメッセージが表示される。本人側メッセージ表示枠Ｃ５には、本人が投稿したメッセージが表示される。
新しいメッセージが投稿されると、当該新しいメッセージを表示した相手側メッセージ表示枠Ｃ４または本人側メッセージ表示枠Ｃ５は、メッセージ表示領域Ｃ２の一番下の部分に表示される。したがって、それまで表示されていた相手側プロフィール画像Ｃ３、相手側メッセージ表示枠Ｃ４及び本人側メッセージ表示枠Ｃ５は、順次上側にシフトして表示される。メッセージ表示領域Ｃ２の一番上の部分に表示されていた相手側プロフィール画像Ｃ３及び相手側メッセージ表示枠Ｃ４、または、本人側メッセージ表示枠Ｃ５は、シフによってメッセージ表示領域Ｃ２から見えなくなる。しかし、画面をスクロールすることにより、それまでの投稿メッセージを全て確認することができるようになっている。
【００４４】
コマンドバーＣ６には、予約設定アイコンＣ７、絵文字アイコンＣ８、メッセージ書き込み枠Ｃ９、送信ボタンＣ１０が表示される。
予約設定アイコンＣ７が押下されると、後述するように、提供日時を指定してメッセージを投稿する際の画面が表示される。絵文字アイコンＣ８が押下されと、絵文字を選択する画面（図示せず）が表示され、メッセージ内に挿入する絵文字を選択することができる。
メッセージ書き込み枠Ｃ９が押下されると、文字入力等を行うためのキーボード画面（図示せず）が表示され、キーボード画面を操作することによりメッセージ書き込み枠Ｃ９内にメッセージを書き込むことができる。
メッセージ書き込み枠Ｃ９内にメッセージを書き込んだ状態で送信ボタンＣ１０が押下されると、メッセージ書き込み枠Ｃ９内に書き込んだメッセージが、メッセージ表示領域Ｃ２の一番下の部分の本人側メッセージ表示枠Ｃ５に表示され、送受信装置２０の送信部２２によって管理サーバ１０に送信され、当該メッセージが管理サーバ１０を経由して相手側の送受信装置２０に送信される。
【００４５】
＜予約設定処理＞
次に、本実施形態のメッセージ送受信アプリケーションにおける予約設定処理について説明する。図６に示すメッセージ表示画面Ｐ３において、メッセージ書き込み枠Ｃ９内にメッセージを書き込み、送信ボタンＣ１０を押下することにより、当該メッセージは直ちにメッセージ表示領域Ｃ２に表示され、かつ、管理サーバ１０を経由して相手側の送受信装置２０に送信される。
しかしながら、本実施形態のメッセージ送受信アプリケーションにおいては、このようにリアルタイムでメッセージを送信するだけでなく、相手に提供される提供日時を指定してメッセージを投稿することができる予約提供処理が行われる。以下、本実施形態における予約提供処理について説明するが、まず、提供日時の設定を行う予約設定処理について説明する。
【００４６】
図６に示すメッセージ表示画面Ｐ３において、予約設定アイコンＣ７が押下されると、図７に示す予約メッセージ作成画面Ｐ４が表示される。予約メッセージ作成画面Ｐ４は、タイトル表示領域Ｄ１、キャンセルボタンＤ２、完了ボタンＤ３、閲覧可能日時設定バナーＤ４、メッセージ書き込み領域Ｄ５を備えている。
タイトル表示領域Ｄ１には、そのページのタイトルが表示される。図７に示す予約メッセージ作成画面Ｐ４は、メッセージを閲覧可能とする日時を指定すると共に、当該メッセージを書き込む画面であるが、図７の例では、タイトル表示領域Ｄ１には「メッセージ」と表示される。
キャンセルボタンＤ２が押下されると、図６に示すメッセージ表示画面Ｐ３に戻るようになっている。メッセージを閲覧可能とする日時が設定され、メッセージが書き込まれた状態で完了ボタンＤ３が押下されると、予約メッセージの投稿が行われる。
閲覧可能日時設定バナーＤ４には、設定した閲覧可能日時が表示される。但し、設定前においては、予約メッセージ作成画面Ｐ４を表示された時点の日時が表示されるようになっている。また、閲覧可能日時設定バナーＤ４が押下されると、後述する閲覧可能日時の設定画面が表示されるようになっている。
メッセージ書き込み領域Ｄ５が押下されると、文字入力等を行うためのキーボード画面（図示せず）が表示され、キーボード画面を操作することによりメッセージ書き込み領域Ｄ５内にメッセージを書き込むことができる。
【００４７】
図７に示す予約メッセージ作成画面Ｐ４で閲覧可能日設定バナーＤ４が押下されると、図８に示す閲覧可能日時設定画面Ｐ５が表示される。閲覧可能日時設定画面Ｐ５は、タイトル表示領域Ｅ１、キャンセルボタンＥ２、完了ボタンＥ３、閲覧可能日時表示領域Ｅ４、閲覧可能日時選択領域Ｅ５を備えている。
タイトル表示領域Ｅ１には、そのページのタイトルが表示される。図８に示す閲覧可能日時設定画面Ｐ５は、メッセージを閲覧可能にする日時を指定すると画面であり、図８の例では、タイトル表示領域Ｅ１には「閲覧可能日時」と表示される。
キャンセルボタンＥ２が押下されると、図７に示す予約メッセージ作成画面Ｐ４に戻るようになっている。閲覧可能日時が選択された状態で完了ボタンＥ３が押下されると、閲覧可能日時が設定され、図７に示す予約メッセージ作成画面Ｐ４に戻るようになっている。
閲覧可能日時表示領域Ｅ４には、閲覧可能日時選択領域Ｅ５で選択した提供日時が表示されるようになっている。
閲覧可能日時選択領域Ｅ５は、月日表示領域Ｅ６、時間表示領域Ｅ７、分表示領域Ｅ８を備えている。月日表示領域Ｅ６、時間表示領域Ｅ７及び分表示領域Ｅ８のそれぞれは、上下にスクロール可能であり、所望の月日、及び、時分を選択することができる。選択する際には、それぞれの領域に表示されている月日、時、分を、選択部分Ｅ９に合わせる。
図８の例では、月日として「８月２４日（金）」、時として「１６」、分として「００」が選択されている。この場合、閲覧可能日時表示領域Ｅ４には、「８月２４日（金）  １６：００」と表示される。
以上のように、閲覧可能日時表示領域Ｅ４に表示される月日及び時分を確認しながら、閲覧可能日時選択領域Ｅ５において、メッセージを閲覧可能にしたい月日、時、分を選択することにより、メッセージの閲覧可能日時を選択することができる。そして、メッセージの閲覧可能日時を選択した状態で完了ボタンＥ３が押下されると、メッセージの閲覧可能日時が設定され、図７に示す予約メッセージ作成画面Ｐ４に戻るようになっている。
【００４８】
＜予約提供処理＞
次に、図９に示す動作シーケンスを参照して、本実施形態のメッセージ送受信アプリケーションにおける予約提供処理について説明する。
まず、図９に示すように、メッセージの送信先の利用者（フレンド）である相手利用者の指定を行う（Ｓ２００）。具体的には、図５に示すチャット画面Ｐ２において、いずれかのフレンドの選択が行われれることにより、相手利用者の指定が行われることになる。フレンド表示領域Ｂ２に表示される各フレンドの表示領域には、各フレンドの識別情報が関連付けられており、送受信装置２０のＣＰＵ４０は、選択されたフレンドの識別情報を読み取る。
次に、閲覧可能にするメッセージの指定を行い（Ｓ２０１）、閲覧可能条件の指定を行う（Ｓ２０２）。具体的には、図６に示すメッセージ表示画面Ｐ３において予約アイコンＣ７が押下され、図７に示す予約メッセージ作成画面Ｐ４のメッセージ書き込み領域Ｄ５にメッセージが書き込まれ、かつ、図８の閲覧可能日時設定画面Ｐ５において閲覧可能日時が選択された状態で、図７に示す予約メッセージ作成画面Ｐ４の完了ボタンＤ３が押下されると、閲覧可能にするメッセージの指定と、閲覧可能条件の指定が行われる。
図８の閲覧可能日時設定画面Ｐ５において選択した閲覧可能日時は、閲覧可能条件として指定される。選択した日時にメッセージが相手側の送受信装置２０に届いている場合には、当該メッセージ自体が相手側の送受信装置２０に表示される場合と、直接メッセージは表示されないが、当該メッセージが届いていることが相手側の送受信装置２０にて報知される場合、あるいは、図６に示すメッセージ表示領域Ｃ２を表示させた際にメッセージが表示される場合、さらには、メッセージ表示領域Ｃ２の表示状態を更新するとメッセージが表示される場合等がある。そこで、本実施形態では、選択した閲覧可能日時を閲覧可能条件として指定している。
【００４９】
次に、送受信装置２０の送信部２２は、以上のようにして指定された相手利用者の識別情報、指定されたメッセージのデータ、指定された閲覧可能条件である閲覧可能日時情報を指定情報として管理サーバ１０に直ちに送信する（Ｓ２０３）。指定情報を受信した管理サーバ１０の受信部１１は、当該指定情報を直ちに相手利用者の送受信装置２０に配信する（Ｓ１０２）。つまり、本実施形態の予約提供処理においては、管理サーバ１０の送信部１２は、閲覧可能条件である閲覧可能日時の到達前に、相手利用者の端末装置２０に直ちに送信する。なお、管理サーバ１０の送信部１２は、相手利用者の送受信装置２０から指定情報を受信した旨の情報を受け取るまで所定間隔ごとに繰り返し指定情報を送信するようにしてもよい。あるいは、送受信装置２０から指定情報を受信した旨の情報の有無に拘わらず、定期的に指定情報を送信するようにしてもよい。
【００５０】
指定情報を受信した相手利用者の送受信装置２０の判断部２４は、当該指定情報に含まれる閲覧可能条件を確認し、閲覧可能条件が充足されたか否かを判定する（Ｓ３０２）。具体的には、閲覧可能条件として指定された閲覧可能日時に到達したかどうかを判定する。閲覧可能条件が充足されない場合には、つまり、指定した閲覧可能日時に到達していない場合には（Ｓ３０２；ＮＯ）、ステップＳ３０２の判定処理を閲覧可能条件が充足されるまで所定間隔ごとに実施する。図９の例では、便宜的に処理がループするように記載しているが、実際にはループする訳ではなく、閲覧可能条件が充足されるまでステップＳ３０２の処理が所定間隔ごとに実施されることを示している。
【００５１】
そして、閲覧可能条件が充足された場合には、つまり、指定した閲覧可能日時に到達した場合には（Ｓ３０２;ＹＥＳ）、指定情報に含まれるメッセージの閲覧可能制御を行う（Ｓ３０３）。例えば、相手利用者の送受信装置２０のディスプレイ上に当該メッセージの一部または全部を表示するようにしてもよいし、相手利用者が送受信装置２０においてメッセージ送受信アプリケーションを起動させ、図６に示すメッセージ表示領域Ｃ２を表示させた際に当該メッセージを表示させてもよい。また、相手利用者がメッセージ表示領域Ｃ２の表示状態を更新した際にメッセージを表示させるようにしてもよい。さらには、相手利用者の送受信装置２０のディスプレイ上に当該メッセージが届いている旨を報知するようにしてもよい。また、メッセージ送受信アプリケーションのアイコン上に、当該メッセージが届いている旨を報知する表示を行うようにしてもよい。
このように、少なくとも相手利用者の要求があった場合に、当該メッセージを相手利用者が閲覧できる状態が「閲覧可能」な状態であり、特許請求の範囲の複数の請求項において記載されている「受信者に閲覧可能となるように制御する」という構成要素がステップＳ３０３の閲覧可能制御に該当する。
【００５２】
以上のように本実施形態によれば、実際には、閲覧可能条件である閲覧可能日時よりも以前に相手利用者の送受信装置２０に到達しているメッセージを、あたかも当該閲覧可能日時に到達したように相手利用者に知らせることができる。
例えば、当該メッセージが相手利用者の送受信装置２０に到達後であって、閲覧可能日時前に、相手利用者がメッセージ送受信アプリケーションを起動させ、メッセージ表示画面Ｐ３を表示させても当該メッセージはメッセージ表示画面Ｐ３に表示されない。しかし、閲覧可能日時以降においては当該メッセージは閲覧可能な状態となっているので、閲覧可能日時以降に相手利用者がメッセージ送受信アプリケーションを起動させ、メッセージ表示画面Ｐ３を表示させた場合には、図１０に示すように、当該メッセージが表示される。
また、仮に、相手利用者がメッセージ表示画面Ｐ３を表示させていた時に、閲覧可能日時に到達した場合には、あたかもリアルタイムで当該メッセージが到達したかのように、メッセージ表示画面Ｐ３上に当該メッセージが表示されることになる。
さらに、閲覧可能日時以降に、相手利用者がメッセージ表示画面Ｐ３の表示状態を更新した場合には、メッセージ表示画面Ｐ３の表示状態の最新の状態となるので、メッセージ表示画面Ｐ３上に当該メッセージが表示されることになる。
メッセージ送受信アプリケーションのアイコン上に、当該メッセージが届いている旨の報知表示を行うように設定していた場合には、当該報知表示に気が付いた相手利用者がメッセージ送受信アプリケーションを起動させ、メッセージ表示画面Ｐ３を表示させると、図１０に示すように、メッセージが表示される。
図１０に示す例では、閲覧可能日時Ｃ２０と共に、予約メッセージＣ２１がメッセージ表示画面Ｐ３上に表示される。したがって、相手利用者にとっては、リアルタイムで投稿されるメッセージと変わらない状態で予約メッセージＣ２１が表示されることになる。
このように、本実施形態によれば、実際には、閲覧可能条件である閲覧可能日時よりも以前に相手利用者の送受信装置２０にメッセージを到達させるので、相手利用者の送受信装置の所在地の変化等により、通信状況が変化した場合でも、確実に、所望の閲覧可能日時にメッセージを届けることが可能になる。
【００５３】
＜第２実施形態＞
次に、本発明の第２実施形態について説明する。上述した実施形態においては、管理サーバ１０の送信部１２が、送信対象としての指定情報を、相手利用者の送受信装置２０からの受信確認があるまで繰り返し送信し、あるいは、相手利用者の送受信装置２０からの受信確認に拘わらず定期的に送信する例について説明した。
しかし、本実施形態では、送受信装置２０から管理サーバ１０に対して送信対象としての指定情報が有るかどうかを問い合わせる。
図１１に本実施形態の情報送受信システ１Ａの全体的な構成を示すブロック図である。図１１に示すように、本実施形態の送受信装置２０には、問合せ部２６が備えられている。この問合せ部２０は、送受信装置２０に予めインストールされたメッセージ送受信アプリケーションプログラムを実行することによって構築される機能ブロックである。
【００５４】
本実施形態の送受信装置２０の問合わせ部２６は、管理サーバ１０に対して、当該送受信装置２０に対する送信対象としての指定情報が有るかどうかを定期的に問い合わせるようになっている。そして、指定情報が有る場合には、当該指定情報を受信する。
したがって、他の送受信装置２０からの指定情報が届いているにも拘わらず、何等かの原因により相手利用者の送受信装置２０に到達していない場合でも、指定情報が有るかどうかを定期的に問い合わせることよって、確実に、閲覧可能条件である提供日時よりも以前に、メッセージを受け取ることができる。
なお、指定情報が有るかどうかの問合せは、必ずしも定期的に行う必要はなく、例えば、メッセージ送受信アプリケーションの起動時毎でもよい。
【００５５】
＜第３実施形態＞
続いて、本発明の第３実施形態について説明する。本実施形態は、閲覧可能条件である閲覧可能日時よりも以前に送信し、相手利用者の送受信装置２０に閲覧可能日時よりも以前に到達したメッセージを、閲覧可能条件である閲覧可能日時よりも前にキャンセルする例である。
図１２に本実施形態の情報送受信システ１Ｂの全体的な構成を示すブロック図である。図１２に示す機能ブロックは、送受信装置２０に予めインストールされたメッセージ送受信アプリケーションプログラムを実行することによって構築される機能ブロックである。
図１２に示すように、本実施形態の管理装置１０は、受信部１１で受信した本人側の送受信装置２０からの送信対象としての指定情報を一意に識別する識別情報を付与する識別情報付与部１４と、当該識別情報を本人側の送受信装置２０に通知する通知部１６と、キャンセル要求を前記識別情報と共に相手利用者の送受信装置２０に送信するキャンセル要求送信部１７とを備えているところが、上述した実施形態と異なっている。また、送信部１２が送信対象と共に識別情報を送信する点も上述した実施形態と異なっている。また、送受信装置２０には、相手利用者の送受信装置２０にて受信された受信対象としての指定情報のキャンセルを要求するキャンセル要求部２７を備えているところが、上述の実施形態と異なっている。
さらに、送受信装置２０には送信リストと受信リストを記憶する記憶部２６が備えられている点も上述した実施形態と異なっている。なお、送信リストと受信リストの詳細については後述する。
【００５６】
図１３は以上のような本実施形態の情報送受信システム１Ｂによって実行される予約提供処理及びキャンセル処理の動作シーケンスを示す図である。図１３においては、図９に示す動作シーケンスとの共通箇所には同一の符号を付してあり、共通箇所の説明については省略する。
図１３に示すように、本人側の送受信装置２０の送信部２２が指定情報を送信すると（Ｓ２０３）、管理サーバ１０の受信部１１は当該指定情報を受信し、当該指定情報に対するメッセージＩＤを生成する（Ｓ１００）。メッセージＩＤは、指定情報を一意に識別する情報である。管理サーバ１０は複数の送受信装置２０から指定情報を受信し、全ての指定情報を取り扱うことになる。したがって、各指定情報を一意に識別可能なメッセージＩＤを生成することができる。
【００５７】
次に、管理サーバ１０の送信部１２は、生成したメッセージＩＤを本人側の送受信装置２０に送信する（Ｓ１０１）。このメッセージＩＤを受信した本人側の送受信装置２０の受信部２３は、受信したメッセージＩＤを用いて送信リストの更新を行う（Ｓ２０４）。
それぞれの送受信装置２０の記憶部２６には、図１４に示すような送信リストＴＢＬ１３が記憶されている。送信リストＴＢＬ１３は、図１４に示すように、メッセージＩＤフィールドＦ１、相手利用者の識別情報フィールドＦ２、メッセージフィールドＦ３、及び、閲覧可能条件フィールドＦ４を備えている。
メッセージＩＤフィールドＦ１には、管理サーバ１０の識別情報付与部１４において生成され、本人側の送受信装置２０の受信部２３において受信したメッセージＩＤが記録される。
相手利用者の識別情報フィールドＦ２には、本人側の送受信装置２０において指定された相手利用者の識別情報が記録される。
メッセージフィールドＦ３には、本人側の送受信装置２０において指定されたメッセージが記録される。
閲覧可能条件フィールドＦ４には、本人側の送受信装置２０において指定された閲覧可能条件が記録される。
【００５８】
一方、管理サーバ１０は、受信した指定情報を、上述のように生成したメッセージＩＤと共に、相手利用者の送受信装置２０に配信する（Ｓ１０２）。当該指定情報とメッセージＩＤを受信した相手利用者の送受信装置２０の制御部２５は、受信リストの更新を行う（Ｓ３００）。
それぞれの送受信装置２０の記憶部２６には、図１５に示すような受信リストＴＢＬ１４が記憶されている。受信リストＴＢＬ１４は、図１５に示すように、メッセージＩＤフィールドＦ１０、メッセージフィールドＦ２０、及び、閲覧可能条件フィールドＦ３０を備えている。
メッセージＩＤフィールドＦ１０には、管理サーバ１０において生成され、送受信装置２０において受信したメッセージＩＤが記録される。
メッセージフィールドＦ２０には、本人側の送受信装置２０において指定されたメッセージが記録される。
閲覧可能条件フィールドＦ３０には、本人側の送受信装置２０において指定された閲覧可能条件が記録される。
【００５９】
相手利用者の送受信装置２０の制御部２５は、受信リストＴＢＬ１１の更新を行った後（Ｓ３００）、キャンセル要求を受信したかどうかを判定する（Ｓ３０１）。キャンセル要求を受信していない場合には（Ｓ３０１；ＮＯ）、受信リストＴＢＬ１４の閲覧可能条件フィールドＦ３０を確認し、閲覧可能条件を充足しているメッセージがあるかどうかを判定する（Ｓ３０２）。閲覧可能条件を充足しているメッセージがない場合には（Ｓ３０２；ＮＯ）、以上の処理を繰り返す。また、閲覧可能条件を充足しているメッセージがある場合には（Ｓ３０２；ＹＥＳ）、メッセージの閲覧可能制御を行う（Ｓ３０３）。なお、図１３においては、便宜上、メッセージの閲覧可能制御を行った後には、上述の処理を行わないかのように記載しているが、実際には、受信リストＴＢＬ１１に、閲覧可能条件を充足しているメッセージがある限り、上述した処理を繰り返す趣旨である。
【００６０】
予約メッセージを投稿した本人が、投稿した予約メッセージのキャンセルを希望する場合には、キャンセル処理を要求する。例えば、図７に示す予約メッセージ作成画面Ｐ４等に、過去に投稿した予約メッセージの一覧を表示させるボタン等を表示させ、当該ボタン等が押下された際に、上述した送信リストＴＢＬ１３に基づいて、過去に投稿した予約メッセージの一覧を表示させる。そして、一覧表示されている過去に投稿した予約メッセージのうちのいずれかを選択すると、キャンセルボタンが表示され、このキャンセルボタンが押下されることにより、キャンセル処理の要求が行われる。
なお、キャンセル処理の要求を実施する態様は、このような例に限定されるものではなく、過去に投稿した予約メッセージを識別でき、キャンセル処理の要求が可能な態様であれば、どのような態様であっても構わない。
【００６１】
以上のようにしてキャンセル処理の要求が行われると（Ｓ２０５）、本人側の送受信装置２０の送信部２２は、キャンセル要求の対象となる過去に投稿した予約メッセージのメッセージＩＤと相手利用者の識別情報を読み取り、キャンセル要求と共に管理サーバ１０に送信する。キャンセル要求と共にメッセージＩＤと相手利用者の識別情報を受信した管理サーバ１０の受信部１２は、当該キャンセル要求とメッセージＩＤを、当該識別情報に基づく相手利用者の送受信装置２０に中継する（Ｓ１０３）。
【００６２】
当該キャンセル要求とメッセージＩＤを受信した相手利用者側の送受信装置２０の受信部２３は（Ｓ３０１；ＹＥＳ）、受信したメッセージＩＤと一致するレコードを受信リストＴＢＬ１４から検索し、該当するレコードを受信リストＴＢＬ１４から削除するキャンセル処理を実行する（Ｓ３０４）。
【００６３】
このように本実施形態によれば、閲覧可能条件である閲覧可能日時前に相手利用者の送受信装置に配信されている予約メッセージを、閲覧可能条件である閲覧可能日時前にキャンセルすることが可能となる。このような処理は、リアルタイムでメッセージを送受信する機能しか持たないシステムでは実施することができない処理である。
【００６４】
＜第４実施形態＞  
続いて、本発明の第４施形態について説明する。本実施形態は、管理サーバ１０を用いることなく、送受信装置２０同士でメッセージの送受信を行うところが上述した各実施形態とは異なる。
図１６は本実施形態の情報送受信システム１Ｃの全体的な構成を示すブロック図である。図１６に示す機能ブロックは、送受信装置２０に予めインストールされたメッセージ送受信アプリケーションプログラムを実行することによって構築される機能ブロックである。
図１６に示すように、本実施形態の情報送受信システム１Ｃは、送受信装置２０のそれぞれがネットワークＮｂに接続されており、管理サーバ１０を用いることなく、送受信装置２０同士でメッセージの送受信が可能となっている。
【００６５】
本実施形態における送受信装置２０には、ネットワークＮｂに接続されたそれぞれの送受信装置２０を一意に識別するＩＰアドレス等の識別情報と、それぞれの送受信装置２０の利用者を一意に識別する識別情報とが関連付けられて記憶されている。なお、ＩＰアドレス等の識別情報と利用者の識別情報とを関連付けて記憶する処理は、すべての利用者について行う必要はなく、フレンド登録しているフレンドの送受信装置２０を一意に識別するＩＰアドレス等の識別情報と、それぞれの送受信装置２０のフレンドを一意に識別する識別情報とを関連付けられて記憶するようにしてもよい。
送受信装置２０が本人側の送受信装置２０として機能する場合には、送受信装置２０の制御部２５は、相手利用者の識別情報に基づいて相手利用者の送受信装置２０の識別情報を読み取り、送受信装置２０の送信部２２は、指定情報を当該識別情報に対応する送受信装置２０に配信する。配信は、第１実施形態のように繰り返し、あるいは、定期的に行う。
送受信装置２０が相手利用者の送受信装置２０として機能する場合には、送受信装置２０の制御部２５は、受信した指定情報における閲覧可能条件としての閲覧可能日時を参照し、閲覧可能日時になったときに予約メッセージが閲覧可能となるように処理を行う。
また、本実施形態においても、第２実施形態のように指定情報の有無を一の送受信装置２０から他の送受信装置２０に問い合わせるようにしてもよい。さらに、指定情報を繰り返しあるいは定期的に配信すると共に、一の送受信装置２０から他の送受信装置２０に問い合わせるようにしてもよい。
このように、管理サーバ１０を用いなくても本発明を実現することができる。
【００６６】
＜変形例＞
本発明は、上述した実施形態に限定されるものではなく、例えば次に述べるような各種の応用・変形が可能である。なお、次に述べる応用・変形の態様は、任意に選択された一または複数を適宜に組み合わせることもできる。
【００６７】
上述した実施形態においては、予約メッセージとしてテキストデータによるメッセージを配信する例について説明したが、本発明はこのような例に限定されるものではなく、音声データや画像データ、さらには動画データを予約メッセージとして配信するようにしてもよい。また、テキストデータ、音声データ、画像データ、及び、動画データを適宜組み合わせて配信するようにしてもよい。
【００６８】
また、画像データそのものを配信するのではなく、画像データに対応するコードデータ等を予約メッセージとして配信し、受信した送受信装置に予め記憶されている画像データを、受信したコードデータ等に基づいて表示するようにしてもよい。
このような態様を実現するためには、例えば、図１７に示す情報送受信システム１Ｄのように、送受信装置２０に、コードデータ等の実体識別情報と画像データ等の実体情報とを関連付けて記憶する記憶部２８と、閲覧可能とされた予約メッセージに含まれる実体識別情報によって識別される実体情報を出力する出力部２９を備える。図１７に示す機能ブロックは、送受信装置２０に予めインストールされたメッセージ送受信アプリケーションプログラムを実行することによって構築される機能ブロックである。
このようにすれば、画像データそのものを送信しなくてもよいので、送受信の負荷を軽減することができる。
【００６９】
上述した実施形態では、閲覧可能条件として、提供日時を指定する例について説明したが、本発明はこのような例に限定されるものではない。例えば、送受信装置に備えられている位置情報検出機能を利用して、相手利用者が送受信装置を備えて所定の場所に到達するという条件を閲覧可能条件としてもよい。なお、この場合には、本人側の送受信装置２０の指定部２１において、閲覧可能条件として所定の場所を指定すればよい。
また、ゲーム等においていくつかの場面をクリアしたという条件や、獲得ポイントが所定点数以上に到達したという条件等を閲覧可能条件としてもよい。なお、この場合には、本人側の送受信装置２０の指定部２１において、閲覧可能条件としてゲーム等のポイントを指定すればよい。
【００７０】
上述した実施形態では、管理サーバ１０の送信部１２によって、指定情報を繰り返し送信したり、あるいは定期的に送信する例と、送受信装置２０の問合せ部２６によって、指定情報の有無を管理サーバ１０に問い合わせる例について説明した。しかし、本発明はこのようなそれぞれの例に限定されるものではなく、管理サーバ１０の送信部１２によって、指定情報を繰り返し送信したり、あるいは定期的に送信すると共に、送受信装置２０の問合せ部２６によって、指定情報の有無を管理サーバ１０に問い合わせるようにしてもよい。
【００７１】
上述した実施形態では、管理サーバ１０が記憶部１３を内包して管理する構成としていたが、管理サーバ１０以外のサーバで管理する構成、すなわちクラウドコンピューティングで管理するようにしても良い。同様に、上述した実施形態では、送受信装置２０が記憶部を内包して管理する構成としていたが、他のサーバによってクラウドコンピューティングで管理するようにしても良い。
【符号の説明】
【００７２】
１，１Ａ，１Ｂ，１Ｃ，１Ｄ…情報送受信システム、１０…管理サーバ、２０…送受信装置、３０，４０……ＣＰＵ、１１…受信部、１２…送信部、１３…記憶部、１４…識別情報付与部、１６…通知部、１７…キャンセル要求送信部、２１…指定部、２２…送信部、２３…受信部、２４…判断部、２５…制御部、２６…問合せ部、２７…キャンセル要求部、２８…記憶部、２９…出力部。
【図１】
2014041562.tif 000003
【図２】
2014041562.tif 000004
【図３】
2014041562.tif 000005
【図４】
2014041562.tif 000006
【図５】
2014041562.tif 000007
【図６】
2014041562.tif 000008
【図７】
2014041562.tif 000009
【図８】
2014041562.tif 000010
【図９】
2014041562.tif 000011
【図１０】
2014041562.tif 000012
【図１１】
2014041562.tif 000013
【図１２】
2014041562.tif 000014
【図１３】
2014041562.tif 000015
【図１４】
2014041562.tif 000016
【図１５】
2014041562.tif 000017
【図１６】
2014041562.tif 000018
【図１７】
2014041562.tif 000019